(57)【要約】【課題】  カメラレンズがマイクとほぼ同じ向きであることをユーザに報知することにより、通話時にカメラレンズの向きを変えることをユーザに促すことができ、カメラレンズが汚れるのを防止することができる携帯電話端末を提供する。【解決手段】  カメラ装置のレンズ１０７の向きが回転可能なカメラ付き携帯電話端末において、発着信時にカメラ装置のレンズ１０７の向きがマイク１０４の向きとほぼ同じであることを検出した場合に、カメラ装置のレンズ１０７がマイク１０４とほぼ同じ方向へ向いていることを報知する報知手段を有する。アラーム表示を行う表示装置１０１を備える。【選択図】        図１
2005150785.tif 000002
【特許請求の範囲】
【請求項１】
カメラ装置のレンズの向きが回転可能なカメラ付き携帯電話端末において、
発着信時に前記カメラ装置のレンズの向きがマイクの向きとほぼ同じであることを検出した場合に、カメラ装置のレンズがマイクとほぼ同じ方向へ向いていることを報知する報知手段を有することを特徴とする携帯電話端末。
【請求項２】
請求項１記載の携帯電話端末において、
表示装置を備え、該表示装置は、上記報知手段による報知としてアラーム表示を行うことを特徴とする携帯電話端末。
【請求項３】
請求項１記載の携帯電話端末において、
音声出力装置を備え、該音声出力装置は、上記報知手段による報知としてアラーム音声を出力することを特徴とする携帯電話端末。
【請求項４】
請求項１乃至３のいずれか１項に記載の携帯電話端末において、
上記報知手段による報知を、有効または無効に設定する報知設定手段を有することを特徴とする携帯電話端末。
【請求項５】
請求項１乃至４のいずれか１項に記載の携帯電話端末において、
イヤホンマイク又はヘッドセットの接続を検出する接続検出装置を備えるとともに、イヤホンマイク又はヘッドセットが接続されている場合に、上記報知手段による報知を無効とする接続報知無効手段を有することを特徴とする携帯電話端末。
【請求項６】
請求項１乃至５のいずれか１項に記載の携帯電話端末において、
テレビ電話機能を備えるとともに、テレビ電話として動作する場合に、上記報知手段による報知を無効とするテレビ報知無効手段を有することを特徴とする携帯電話端末。
【請求項７】
カメラ装置のレンズの向きが回転可能なカメラ付き携帯電話端末に使用されるコンピュータ・ソフトウエアであって、
発着信時に前記カメラ装置のレンズの向きがマイクの向きとほぼ同じであることを検出した場合に、カメラ装置のレンズがマイクとほぼ同じ方向へ向いていることを報知する報知機能をコンピュータに実現させるプログラムからなるコンピュータ・ソフトウエア。
【発明の詳細な説明】
【技術分野】
【０００１】
本発明は、携帯電話端末及びコンピュータ・ソフトウエアであり、特にカメラレンズの向きを回転により変えることが可能なカメラを備えた携帯電話端末に関する。
【背景技術】
【０００２】
携帯電話端末ではカメラを備えたものが急速に普及してきており、特に新しく登場する機種は一般的にカメラ付きである。これらのカメラ付き携帯電話端末におけるカメラの配置形状は大きく２つに分類できる。
【０００３】
一つは、カメラの向きが端末筐体に対して固定されるように配置されたもので、端末筐体の背面側にカメラレンズを固定配置したものが多いが、端末筐体の正面側すなわち表示装置側と、背面側のそれぞれに１個ずつカメラを固定配置したものも存在する。
【０００４】
もう一つは、カメラの向きを変えられるようカメラを回転できるように配置したもので、カメラを回転させることにより、カメラの向きを端末筐体の背面側に向けることも、マイク側に向けることもできる。折り畳み式で表示装置側筐体とキー入力装置側筐体を連結するヒンジ部と同じ回転軸上をカメラが回転するもの、または、端末筐体の幅の方向を回転軸としてカメラが回転するもの等がある。
【０００５】
ところで、カメラがマイク側すなわち正面側を向いた状態でハンドセット形態で通話を行うと、カメラの前部にあるカメラレンズに顔の一部（頬等）が近づき接触してしまう場合がある。接触してしまうと顔等の脂汚れが付いてしまうという問題となる。
【０００６】
この問題に対処するため、従来技術では、回転するカメラの筐体にスピーカとカメラレンズを９０度異なる方向に配置し、ハンドセット形態で通話を行うときにはスピーカを正面側に向けて使用するようになるため、カメラレンズが顔に接しないようにしている。（例えば、特許文献１参照）
【特許文献１】特開２００２−１８５５８９号公報
【発明の開示】
【発明が解決しようとする課題】
【０００７】
前記の特許文献１記載の従来技術では、通話開始の前にカメラレンズをマイク側に向かないように変えておけばカメラレンズが汚れる問題を回避できる。発着信時には、ユーザの注意は発着信操作に集中しているので、カメラレンズの向きの確認をうっかり忘れて、カメラレンズがマイク側へ向いている状態で通話を開始してしまう場合がある。その結果カメラレンズと顔が接触してカメラレンズが顔の脂で汚れてしまうことになる。しかしながら、上記特許文献１記載の従来技術では、カメラレンズの向きを注意喚起することには配慮されていないため、カメラレンズと顔が接触してカメラレンズが顔の脂で汚れてしまうという問題がおこり得ることになる。
【０００８】
本発明の目的は、カメラ装置のレンズの向きが回転可能なカメラ付き携帯電話端末において、発着信時にカメラレンズがマイクとほぼ同じ向きであることを検出した場合には、カメラレンズがマイクとほぼ同じ向きであることをユーザに報知することにより、通話時にカメラレンズの向きを変えることをユーザに促すことができ、カメラレンズが汚れるのを防止することができる携帯電話端末を提供することにある。
【課題を解決するための手段】
【０００９】
前記の課題を解決するため、本発明では、カメラ装置のレンズの向きが回転可能なカメラ付き携帯電話端末において、発着信時に前記カメラ装置のレンズの向きがマイクの向きとほぼ同じであることを検出した場合に、カメラ装置のレンズがマイクとほぼ同じ方向へ向いていることを報知する報知手段（機能）を有することを特徴とする。これにより、通話時には、カメラレンズがマイク側を向いていることを報知して、カメラレンズの向きを変えることをユーザに促すことができ、カメラレンズが汚れるのを防止することができる。
【００１０】
さらに、表示装置を備え、発着信時に前記報知手段（機能）により前記表示装置にアラーム表示をすることを特徴とする。これにより、発着信時に表示装置にアラーム表示が表示されるのでユーザの注意を引きやすく、カメラレンズの向きを変えることをユーザに促すことができる。
【００１１】
さらに、音声出力装置を設け、発着信時に前記報知手段（機能）により前記音声出力装置からアラーム音声を出力することを特徴とする。これにより、発着信時に着信音報知用のスピーカから注意喚起の音が出力されるのでユーザの注意を引きやすく、カメラレンズの向きを変えることをユーザに促すことができる。
【００１２】
さらに、前記報知手段（機能）を、有効または無効に設定する報知設定機能を有することを特徴とする。これにより、ユーザにより報知機能を有効にするか無効にするかを選択できる。
【００１３】
さらに、イヤホンジャックまたはヘッドセットの接続を検出する接続検出装置を設け、イヤホンマイクまたはヘッドセットが接続されている場合には、発着信時に前記報知手段（機能）を無効とすることを特徴とする。これにより、ハンズフリー形態での通話では、カメラレンズと顔が接触することがないので、報知機能を無効とすることができる。
【００１４】
さらに、テレビ電話機能を備え、テレビ電話として使用する場合には、前記報知手段（機能）を無効とすることを特徴とする。これにより、テレビ電話モードでの通話では、カメラレンズと顔が接触することがないので、報知機能を無効とすることができる。
【００１５】
本発明により、カメラの回転が可能なカメラ付き携帯電話端末において、発着信時にカメラレンズがマイク側へ向いていることを検出した場合には、カメラレンズがマイク側へ向いていることをユーザに報知することにより、通話時にカメラレンズの向きを変えることをユーザに促すことができ、カメラレンズが汚れるのを防止することができる。
【発明の効果】
【００１６】
本発明によれば、カメラの回転が可能なカメラ付き携帯電話端末において、発着信時にカメラレンズがマイク側へ向いていることを検出した場合には、カメラレンズがマイク側へ向いていることをユーザに報知することにより、通話時にカメラレンズの向きを変えることをユーザに促すことができ、カメラレンズが汚れるのを防止することができる。
【発明を実施するための最良の形態】
【００１７】
本発明を実施するための最良の形態を説明する。
以下、本発明の携帯電話端末の一実施例について、図１〜図５を用いて説明する。図１は、実施例１の携帯電話端末の外観図である。図２は、実施例１の携帯電話端末の機能ブロック図である。図３は、実施例１における発着信時にカメラレンズ１０７がマイク側へ向いていることを報知する処理の一例の流れ図である。図４は、実施例１における発着信時にカメラレンズ１０７がマイク側へ向いていることを報知する画面の一例である。図５は、実施例１におけるカメラレンズがマイク側へ向いていることをユーザに報知する機能を、有効または無効に設定する処理の一例の流れ図である。
【実施例１】
【００１８】
実施例１を説明する。図１は、実施例１の携帯電話端末の外観図であり、図１（ａ）は正面図、図１（ｂ）は左側面図である。１０１は液晶表示装置（表示部）、１０２はキー入力装置（入力部）、１０３はスピーカ、１０４はマイク、１０５は液晶表示装置１０１側筐体とキー入力装置１０２側筐体を連結するヒンジ部、１０６はカメラ筐体、１０７はカメラレンズ、１０８はイヤホンジャック、１０９はアンテナである。
【００１９】
液晶表示装置１０１側筐体とキー入力装置１０２側筐体はヒンジ部１０５を回転軸として図１（ｂ）に示す矢印方向に折り畳むことができる。カメラ筐体１０６はヒンジ部１０５と同じ回転軸上に配置されていて、回転することによりカメラレンズ１０７の向きを正面側である表示装置側すなわちマイク側から背面側へ、あるいはその逆に変えることができる。
【００２０】
カメラ撮像を行うとき、カメラレンズ１０７が背面側を向いている場合は、液晶表示装置１０１は撮像画像を確認するためのファインダーとして機能するが、カメラレンズ１０７が表示装置１０１側すなわちマイク側を向いている場合は撮像されるのはユーザなので液晶表示装置１０１には自分の顔を撮像した鏡像を表示する。ここで、正面側を撮像する時と背面側を撮像する時とではカメラの撮像信号は上下反転している。このため、カメラ筐体１０６の回転位置を検出する回転検出装置（図示せず）を設け、カメラレンズ１０７の向きが表示装置１０１側か背面側かを検出し、液晶表示装置１０１へ表示する表示信号を上下反転するようになっている。
【００２１】
イヤホンジャック１０８にイヤホンマイクあるいはヘッドセットを接続すると、ハンズフリー形態での通話が可能となる。
【００２２】
ユーザが通話する場合、図１に示す状態でスピーカ１０３に耳を近づけ、マイク１０４に口を近づけて通話する。このとき、カメラレンズ１０７が表示装置１０１側すなわちマイク側を向いているとユーザの顔の一部がカメラレンズ１０７に近づき接触してしまう場合がある。このため、本実施例では、着信があった時または発信操作をする時にはカメラレンズ１０７がマイク側を向いている時には、液晶表示装置１０１に注意喚起のための表示を行うようにした。ユーザはこの注意表示を見てカメラレンズ１０７がマイク側に向いていることに気がつくので、通話する前にカメラレンズ１０７の向きを変え、顔の接触による汚れの付着を防ぐことが可能となる。
【００２３】
次に、本実施例の携帯電話端末の機能ブロック及び動作の一例を説明する。図２は本実施例の携帯電話端末の機能ブロック図である。２０１はＣＰＵ（Ｃｅｎｔｒａｌ  Ｐｒｏｃｅｓｓｉｎｇ  Ｕｎｉｔ）、２０２はＲＡＭ（Ｒａｎｄｏｍ  Ａｃｃｅｓｓ  Ｍｅｍｏｒｙ）、２０３はＲＯＭ（Ｒｅａｄ  Ｏｎｌｙ  Ｍｅｍｏｒｙ）、１０１は液晶表示装置、１０２はキー入力装置、２０６はカメラ装置、１０４はマイク、１０３はスピーカ、１０８はイヤホンジャック、２１０は無線装置、２１１は回転検出装置である。ＣＰＵ２０１はＲＯＭ２０３に格納されたプログラムコードを実行して本携帯電話端末の各機能を実行する。また、本携帯電話端末で処理された各種情報はＲＡＭ２０２に格納され、必要時ＣＰＵ２０１の制御により読み出され液晶表示装置１０１等に表示される。各機能でのユーザとのインタフェースは、主に液晶表示装置１０１とキー入力装置１０２を介して行われる。無線装置２１０により基地局と無線通信することができ、マイク１０４から取り込んだ音声を送信するとともに相手側からの音声をスピーカ１０３から出力して通話することができる。
【００２４】
また、前記のようにカメラ装置２０６のあるカメラ筐体１０６は回転させることによりカメラレンズ１０７の向きを変えることができ、この回転位置を回転検出装置２１１で検出するようになっている。回転検出装置２１１の検出結果により正面側と背面側とで表示信号を反転させるようになっている。さらに、着信があった場合または発信操作をした時にカメラレンズ１０７がマイク側へ向いている場合には液晶表示装置１０１に注意喚起のための表示を行うようにした。ユーザはこの注意表示を見てカメラレンズ１０７が正面側に向いていることに気がつくので、通話する前にカメラレンズ１０７の向きを変え、顔の接触による汚れの付着を防ぐことが可能となる。
【００２５】
次に、実施例１において、発着信時にカメラレンズ１０７がマイク側へ向いていることを報知する処理の一例について、図３を用いて説明する。図３は実施例１における発着信時にカメラレンズ１０７がマイク側へ向いていることを報知する処理の流れ図である。着信があった場合または発信操作をした時（発着信時）（ステップ３０１）は、発着信時にカメラレンズ１０７がマイク側へ向いていることを報知する機能が有効になっているか判断する（ステップ３０２）。なお、報知する機能を有効または無効に設定する処理については図５により後述する。報知する機能が有効になっていれば、続いてカメラレンズ１０７がマイク側へ向いていることが回転検出装置２１１により検出されているかを判断し（ステップ３０３）、マイク側へ向いていれば、発着信画面にカメラレンズ１０７がマイク側へ向いていることを注意喚起のための報知する表示を図４に示すように行う（ステップ３０４）。その後、キー入力装置１０２の通話釦押し等の所定の操作により通話状態へ遷移し通話をする（ステップ３０６）。ステップ３０２で報知する機能が無効になっている場合及びステップ３０３でカメラレンズ１０７がマイク側を向いていないことを検出した場合は、ステップ３０５で注意喚起のための報知はせず、通常の相手先電話番号等の表示をしてステップ３０６に移行する。
【００２６】
図４は実施例１における発着信時にカメラレンズ１０７がマイク側へ向いていることを報知する画面の一例であり、図４（ａ）は発信画面、図４（ｂ）は着信画面である。「カメラ正面向き」等の表示を色、白抜き等目立ちやすい表示内容としている。このように発信画面、着信画面いずれもユーザの注意を引きやすい表示を使用して、カメラレンズ１０７がマイク側へ向いていることをユーザに認識するよう促すことができる。
【００２７】
図５は実施例１におけるカメラレンズ１０７がマイク側へ向いていることをユーザに報知する機能を、有効または無効に設定する処理の流れ図の一例である。キー入力装置１０２からの所定の操作により発着信時カメラレンズ１０７がマイク側へ向いていることを報知する機能の有効／無効の設定モードにし（ステップ５０１）、ユーザからキー入力装置１０２により指示入力されると（ステップ５０２）、報知を有効に設定したのか（ステップ５０３）、報知を無効に設定したのか（ステップ５０５）によって判定し、有効と判断した場合は発着信時のカメラレンズ１０７の向きの報知を有効とする（ステップ５０４）。無効と判断された場合は報知を無効とする（ステップ５０６）。ステップ５０４及びステップ５０６の後、所定の操作で設定モードを終了する（ステップ５０７）。また、ステップ５０３及びステップ５０５で報知の設定以外入力の場合はステップ５０７に移行して終了する。
【００２８】
本実施例では、発着信時にカメラレンズ１０７がマイク側へ向いていることの報知は、画面表示により行ったが、報知方法はこれに限ったものでなく、他の方法でも構わない。例えば、液晶表示装置１０１の照明を点滅させてもよい。また、スピーカ１０３または他の着信音報知用のスピーカから注意喚起の音を出力するといった報知方法も考えられる。これにより、着信時に液晶表示装置１０１を見なくても音で気づかせることができる。さらには、これら表示、音を組み合わせて報知することも考えられる。
【００２９】
また、本実施例において、イヤホンマイク又はヘッドセットの接続を検出する接続検出装置を備えるとともに、イヤホンマイク又はヘッドセットが接続されている場合に、上記報知手段による報知を無効とする接続報知無効手段を設けることができる。イヤホンジャック１０８にイヤホンマイクまたはヘッドセットが接続されている場合には、ハンズフリー形態で通話するため、カメラレンズ１０７が顔に接することはない。このため、このハンズフリー形態での通話では、発着信時にカメラレンズ１０７がマイク側へ向いていても、ユーザに報知する必要がないので、報知しないようにするため、イヤホンジャック１０８の接続を検出する接続検出装置２１２を設け、図３に示す流れ図のステップ３０２の前にイヤホンマイクまたはヘッドセットが接続されているか否かの判断を追加することにより実現することができる。
【００３０】
また、本実施例において、テレビ電話機能を備えるとともに、テレビ電話として動作する場合に、上記報知手段による報知を無効とするテレビ報知無効手段を設けることができる。液晶表示装置１０１の画面を見ながら通話するテレビ電話機能を備えるカメラ付き携帯電話端末においては、テレビ電話として使用する場合には、カメラレンズ１０７が顔に接することはないので、発着信時にカメラレンズ１０７がマイク側へ向いていても、ユーザに報知する必要がないので、報知しないようにするため、テレビ電話モードをＣＰＵ２０１により検出可能とし、図３に示す流れ図の判断３０２の前にテレビ電話として使用しているか否かの判断を追加することにより実現することができる。
【００３１】
本実施例では、カメラの向きを検出して報知することを説明したが、自動的にカメラ装置のレンズの向きを変更したり、ユーザが変更しないときに自動で変更するようにすることは可能である。また、イヤホンマイク等やテレビ電話機能の使用時にも上記実施例のような報知機能等を行うこともできる。
【００３２】
なお、上記実施例では携帯電話端末を説明したが、発着信時に前記カメラ装置のレンズの向きがマイクの向きとほぼ同じであることを検出した場合に、カメラ装置のレンズがマイクとほぼ同じ方向へ向いていることを報知する報知機能をコンピュータに実現させるプログラムからなるコンピュータ・ソフトウエアを使用することにより、カメラ装置のレンズの向きが回転可能なカメラ付き携帯電話端末を本発明の携帯電話端末とすることができる。
【図面の簡単な説明】
【００３３】
【図１】実施例１の携帯電話端末の外観図。
【図２】実施例１の携帯電話端末の機能ブロック図。
【図３】実施例１における発着信時にカメラレンズ１０７がマイク側へ向いていることを報知する処理の一例の流れ図。
【図４】実施例１における発着信時にカメラレンズ１０７がマイク側へ向いていることを報知する画面の一例。
【図５】実施例１におけるカメラレンズがマイク側へ向いていることをユーザに報知する機能を、有効または無効に設定する処理の一例の流れ図。
【符号の説明】
【００３４】
１０１…液晶表示装置
１０２…キー入力装置
１０３…スピーカ
１０４…マイク
１０５…ヒンジ部
１０６…カメラ筐体
１０７…カメラレンズ
１０８…イヤホンジャック
１０９…アンテナ
２０１…ＣＰＵ
２０２…ＲＡＭ
２０３…ＲＯＭ
２０６…カメラ装置
２１０…無線装置
２１１…回転検出装置
【図１】
2005150785.tif 000003
【図２】
2005150785.tif 000004
【図３】
2005150785.tif 000005
【図４】
2005150785.tif 000006
【図５】
2005150785.tif 000007